(57)【要約】【課題】良好な施工性、メンテナンス性を有すると共に、太陽電池モジュールを屋根にしっかり固定可能な太陽光発電装置を提供する。【解決手段】本開示の一態様である太陽光発電装置１０は、屋根に固定され、太陽電池モジュール１１Ａのフレーム１３Ａの棟側端部が載せられるマウント金具３０と、マウント金具に固定された固定金具５０であって、壁部５２の下側に形成されてフレーム１３Ａの棟側端部の棟側開口に挿入される軒側突出部５４と、壁部の上側に形成されてフレーム１３Ｂの軒側端部が載せられる第１棟側突出部５６と、第１棟側突出部の上側に形成されてフレーム１３Ｂの軒側端部の軒側開口に挿入される第２棟側突出部５９とを有する固定金具５０とを含む。【選択図】図３Ａ
2018053631.tif 000002
【特許請求の範囲】
【請求項１】
第１太陽電池パネルと、当該パネルの端部に設置された第１フレームと、を有する第１太陽電池モジュールと、
第２太陽電池パネルと、当該パネルの端部に設置された第２フレームと、を有し、前記第１太陽電池モジュールに対し棟側かつ上側に隣り合うように配置される第２太陽電池モジュールと、
屋根に固定され、前記第１太陽電池モジュールの前記第１フレームの棟側端部が載せられるマウント金具と、
前記マウント金具に固定された固定金具であって、壁部の下側に形成されて前記第１フレームの棟側端部の棟側開口に挿入される軒側突出部と、前記壁部の上側に形成されて前記第２フレームの軒側端部が載せられる第１棟側突出部と、第１棟側突出部の上側に形成されて前記第２フレームの軒側端部の軒側開口に挿入される第２棟側突出部とを有する固定金具と、
を備える、太陽光発電装置。
【請求項２】
請求項１に記載の太陽光発電装置において、
前記固定金具は、
前記軒側突出部及び前記第１棟側突出部を有する金具本体と、
前記金具本体にネジ止めされて前記金具本体の上部に固定される押え金具と、を含み、
前記押え金具の上端部が、前記第２棟側突出部を形成する、太陽光発電装置。
【請求項３】
請求項１または請求項２に記載の太陽光発電装置において、
前記マウント金具は、前記固定金具を前記マウント金具に固定するためのボルトが軸部を上にして立設するように、前記ボルトの頭部を軒棟方向にスライド可能に支持するボルトガイドレール部を有し、
前記固定金具は、前記マウント金具上に立設した前記ボルトの軸部を通す貫通孔を有し、前記貫通孔から上方に突出した当該軸部にナットを螺合することで前記マウント金具に固定されている、太陽光発電装置。
【請求項４】
請求項１または請求項２に記載の太陽光発電装置において、
前記第１太陽電池モジュールの前記第１フレームの軒側端部における上端より前記第２太陽電池モジュールの前記第２フレームの棟側端部における下端が上側に位置する、太陽光発電装置。
【発明の詳細な説明】
【技術分野】
【０００１】
本開示は、太陽光発電装置に関する。
【背景技術】
【０００２】
太陽光発電装置は、屋根に複数の太陽電池モジュールを取り付けて構築されている。例えば、特許文献１には、軒側の太陽電池モジュールに係合する軒側係合フックと、棟側の太陽電池モジュールに係合する棟側係合フックとを含む固定具を備えた太陽光発電装置が開示されている。かかる固定具は、ネジを用いて屋根に固定されている。
【先行技術文献】
【特許文献】
【０００３】
【特許文献１】特開２０１５−２１４８７７号公報
【発明の概要】
【発明が解決しようとする課題】
【０００４】
ところで、太陽光発電装置において、意匠性の向上等の面から軒側の太陽電池モジュールの棟側端部より棟側の太陽電池モジュールの軒側端部を大きく上げる、段葺き構造で設置したいという要望がある。しかしながら、この要望に応えるために特許文献１の構成を採用する場合には、固定具が大型化する。この場合には、太陽光発電装置の設置作業及び修理交換作業に手間を要する。
【０００５】
一方、屋根上に棟軒方向に長いガイド部を有する架台フレームを固定し、このガイド部に固定具をスライド可能に係合させることも考えられる。しかしながら、この構成を採用する場合には、架台フレームの重量が嵩むため、太陽光発電装置の設置作業がさらに手間を要する。
【課題を解決するための手段】
【０００６】
本開示の一態様である太陽光発電装置は、第１太陽電池パネルと、当該パネルの端部に設置された第１フレームと、を有する第１太陽電池モジュールと、第２太陽電池パネルと、当該パネルの端部に設置された第２フレームと、を有し、第１太陽電池モジュールに対し棟側かつ上側に隣り合うように配置される第２太陽電池モジュールと、屋根に固定され、第１太陽電池モジュールの第１フレームの棟側端部が載せられるマウント金具と、マウント金具に固定された固定金具であって、壁部の下側に形成されて第１フレームの棟側端部の棟側開口に挿入される軒側突出部と、壁部の上側に形成されて第２フレームの軒側端部が載せられる第１棟側突出部と、第１棟側突出部の上側に形成されて第２フレームの軒側端部の軒側開口に挿入される第２棟側突出部とを有する固定金具と、を備える。
【発明の効果】
【０００７】
本開示の一態様によれば、複数の太陽電池モジュールが段葺き構造で設置される構成において、設置作業及び修理交換作業の手間を軽減できる。
【図面の簡単な説明】
【０００８】
【図１】実施形態の一例である太陽光発電装置の斜視図である。
【図２】図１において、棟側の第２太陽電池モジュールを他の構成要素に対し上側に分離して示す斜視図である。
【図３Ａ】図１のＡ−Ａ断面図である。
【図３Ｂ】図３ＡのＢ部拡大図である。
【図４】図３Ａに示すマウント金具の平面図である。
【図５】図４のＣ−Ｃ断面図である。
【図６】図３Ａに示す金具本体の斜視図である。
【図７】図３Ａに示す押え金具の斜視図である。
【図８】図３Ａに示すアース金具の平面図である。
【図９】アース金具の突起周辺部を図８の矢印Ｄ方向に見た拡大図である。
【発明を実施するための形態】
【０００９】
本開示の一態様である太陽光発電装置は、軒側の太陽電池モジュールが載せられるマウント金具と、壁部の下側に形成されて軒側太陽電池モジュールの棟側端部に挿入される軒側突出部と、壁部の上側に形成された２つの棟側突出部とを有する固定金具を備える。２つの棟側突出部のうち、下側の突出部に棟側太陽電池モジュールの軒側端部が載せられ、上側の突出部がこの軒側端部に挿入される。かかる構成によれば、軽量かつ小型な固定金具を用いて、複数の太陽電池モジュールを段葺き構造で設置できる。これにより、太陽光発電装置の設置作業及び修理交換作業の手間を軽減できる。
【００１０】
以下、図面を参照しながら、実施形態の一例について詳細に説明する。実施形態において参照する図面は、模式的に記載されたものであるから、図面に描画された構成要素の寸法などは、以下の説明を参酌して判断されるべきである。本明細書において、「略〜」との記載は、略同じを例に説明すると、完全に同じであることはもとより、実質的に同じであると認められる場合を含む意図である。以下で説明する実施形態は例示であって、本開示の太陽光発電装置はこれに限定されない。
【００１１】
以下では、屋根の軒棟方向に沿うマウント金具等の方向を「縦方向」とし、屋根の桁方向（軒棟方向に垂直な方向）に沿うマウント金具等の方向を「横方向（左右）」、屋根の野地板に垂直な方向に沿うマウント金具等の方向を「上下方向」とする。図面には、屋根の軒棟方向・縦方向を矢印Ｘ、桁方向・横方向を矢印Ｙ、上下方向を矢印Ｚで示す。
【００１２】
図１は、実施形態の一例である太陽光発電装置の斜視図である。図２は、図１において、棟側の第２太陽電池モジュールを他の構成要素に対し上側に分離して示す斜視図である。図３Ａは、図１のＡ−Ａ断面図であり、図３Ｂは、図３ＡのＢ部拡大図である。図１から図３Ｂに例示するように、太陽光発電装置１０は、太陽電池モジュール１１Ａ（第１太陽電池モジュール）と、太陽電池モジュール１１Ｂ（第２太陽電池モジュール）と、マウント金具３０と、固定金具５０とを備える。図２では、固定金具５０の図示を省略する。太陽電池モジュール１１Ａは、太陽電池パネル１２Ａ（第１太陽電池パネル）と、当該パネルの端部に設置されたフレーム１３Ａ（第１フレーム）とを有する。太陽電池モジュール１１Ｂは、太陽電池パネル１２Ｂ（第２太陽電池パネル）と、当該パネルの端部に設置されたフレーム１３Ｂ（第２フレーム）とを有する。太陽電池モジュール１１Ｂは、太陽電池モジュール１１Ａに対し棟側、かつ、上側に隣り合うように配置される。これにより、軒棟方向において隣り合う太陽電池モジュール１１Ａ、１１Ｂは、段葺き構造で配置される。
【００１３】
太陽光発電装置１０は、屋根１００に複数の太陽電池モジュール１１（１１Ａ，１１Ｂ）を取り付けて構築されている。本明細書では、説明の便宜上、軒棟方向において隣り合って配置される２つの太陽電池モジュール１１について、軒側に配置されるモジュールを太陽電池モジュール１１Ａ、棟側に配置されるモジュールを太陽電池モジュール１１Ｂとする。本実施形態では、全ての太陽電池モジュール１１が同じ形状を有するものとする。
【００１４】
詳しくは後述するが、マウント金具３０は、屋根１００に固定され、太陽電池モジュール１１Ａの棟側端部に設置されたフレーム１３Ａが載せられる金具である。固定金具５０は、上側にフレーム１３Ｂの軒側端部が載せられ、マウント金具３０に固定される金具である。
【００１５】
本実施形態では、マウント金具３０上にアース金具１５が設けられ、フレーム１３Ａ，１３Ｂは固定金具５０及びアース金具１５を介してマウント金具３０上に設置されている。また、アース金具１５とマウント金具３０との間には、スペーサとしての金属板４０も設置されている。金属板４０は省略してもよい。図２では、金属板の図示を省略する。アース金具１５については後で図８、図９を用いて説明する。
【００１６】
固定金具５０は、後述するようにマウント金具３０に立設されたボルト１６と長ナット７０とによってマウント金具３０に固定されている。
【００１７】
太陽光発電装置１０は、屋根材１０１が敷設された屋根１００に取り付けられている。屋根材１０１は、例えばスレート瓦である。屋根材１０１は、棟側の屋根材１０１を軒側の屋根材１０１の一部に重ねながら軒棟方向に配置されるため、屋根材１０１が重なり合った部分には段差が形成される。なお、太陽光発電装置１０が取り付けられる屋根は屋根１００に限定されない。例えば、屋根材として陶器瓦、金属屋根等を用いることもできる。
【００１８】
太陽光発電装置１０は、屋根材１０１上に配置された複数のマウント金具３０上に太陽電池モジュール１１を固定することで構築されている。マウント金具３０は、例えば、屋根材１０１上に載置されて屋根１００の野地板１０２（図３Ａ）に図示しないネジによりネジ止めされる。マウント金具３０を屋根材１０１上に直接配置することで、屋根面（屋根材１０１の表面）からの太陽電池モジュール１１の高さを低くすることができ、屋根１００と太陽光発電装置１０の一体感が向上する。さらに、軒棟方向において隣り合う太陽電池モジュール１１Ａ，１１Ｂを段葺き構造で配置することで意匠性が向上する。
【００１９】
太陽電池モジュール１１は、上述のように、太陽電池パネル１２と、フレーム１３とを有する。太陽電池パネル１２は、例えば、複数の太陽電池セルが２枚の保護部材で挟持された略平坦なパネルである。フレーム１３は、例えば、アルミニウムを主成分とする金属材料を押出成形して形成され、太陽電池パネル１２の四方を囲んで設置される。フレーム１３の表面には、一般的に塗膜が形成されている。
【００２０】
太陽電池モジュール１１は、固定金具５０、及びボルト１６を用い、フレーム１３を利用してマウント金具３０に固定される。図１に示す例では、平面視略矩形形状を有する太陽電池モジュール１１の短辺方向が軒棟方向と略平行となるように、複数の太陽電池モジュール１１が配置されている。桁方向に隣り合う太陽電池モジュール１１同士は略接触した状態で配置され、軒棟方向に隣り合う太陽電池モジュール１１同士（太陽電池モジュール１１Ａ，１１Ｂ）は棟軒方向の隙間をあけて配置されている。
【００２１】
太陽電池モジュール１１は、軒側端部の２箇所と棟側端部の２箇所の合計４箇所でマウント金具３０に固定されることが好ましい。１つの太陽電池モジュール１１の裏側には、例えば当該モジュールの軒側端部の左右に対応する位置と、棟側端部の左右に対応する位置とにマウント金具３０が配置される。太陽電池モジュール１１Ａ，１１Ｂの境界部に配置されるマウント金具３０には、当該２枚の太陽電池モジュールの軒側の太陽電池モジュールのフレーム１３Ａが載せられ、棟側の太陽電池モジュールのフレーム１３Ｂが固定金具５０を介して載せられる。
【００２２】
太陽光発電装置１０の軒側端部及び棟側端部は、マウント金具３０及び固定金具５０を用いて屋根１００に固定されてもよく、専用の金具を用いて固定されてもよい。
【００２３】
図１，図２に示す例では、複数のマウント金具３０が軒棟方向及び桁方向に並んで配置されている。軒棟方向に並ぶ各マウント金具３０は、各太陽電池モジュール１１の軒棟方向に沿った長さに合わせて、軒棟方向に一定の間隔をあけて配置される。各マウント金具３０は、後述のボルトガイドレール部３４が軒棟方向に沿うように屋根１００に固定される。フレーム１３Ａ，１３Ｂは、ボルトガイドレール部３４と略直交するようにマウント金具３０の上側に配置される。
【００２４】
図４はマウント金具３０の平面図、図５は図４のＣ−Ｃ断面図である。図４及び図５に例示するように、マウント金具３０は、基部３１と、基部３１の下部から左右にそれぞれ張り出したフランジ部３２とを有する。マウント金具３０は、屋根面に密接した状態で配置される板状の固定部であって、当該金具を屋根１００に固定するためのネジ（図示せず）を通す貫通孔３５が形成された固定部を有する。貫通孔３５は、固定部の端から１０ｍｍ以上離れた位置に形成されていることが好ましい。本実施形態では、固定部としてフランジ部３２が設けられている。
【００２５】
マウント金具３０は、軒棟方向に沿う縦方向に長い形状を有する。マウント金具３０の棟側縁部３０ｂは、屋根１００の軒棟方向及び桁方向に対して傾斜していることが好ましい。ボルトガイドレール部３４は軒棟方向に沿って真っ直ぐに延びることが好ましいため、棟側縁部３０ｂの切断面を縦方向及び横方向に対して斜めに形成することで、棟側縁部３０ｂを傾斜させることが好適である。この場合、施工性を損なうことなく、雨水等の排水性を向上させることができる。つまり、雨水等はマウント金具３０によって堰き止められず、傾斜した棟側縁部３０ｂに沿って流れる。
【００２６】
マウント金具３０の軒側縁部３０ａは、屋根１００の軒棟方向及び桁方向に対して棟側縁部３０ｂと略同じ角度で傾斜していることが好ましい。即ち、軒側縁部３０ａは棟側縁部３０ｂと略平行に形成されていることが好ましい。軒側縁部３０ａの傾斜は排水性に影響を与えないが、一般的に、マウント金具３０は長尺状の部材を切断して製造されるため、各端部を同じ方向に同じ角度で切断することで材料の無駄を無くすことができる。
【００２７】
マウント金具３０の棟側縁部３０ｂは、屋根１００の桁方向に対して約３°〜１０°の角度θで傾斜していることが好ましい。角度θが当該範囲内であれば、良好な施工性と排水性を両立し易くなる。軒側縁部３０ａについても、桁方向に対して約３°〜１０°の角度θで傾斜していることが好ましい。マウント金具３０は、例えば、対角の大きさが略等しい平面視略平行四辺形状を有する。
【００２８】
マウント金具３０は、固定金具５０を固定するためのボルト１６の軸部１６ｂを上にして立設するように、ボルト１６の頭部１６ａ（図３Ａ）を軒棟方向にスライド可能に支持するボルトガイドレール部３４を有する。
【００２９】
ボルトガイドレール部３４の底面にボルト１６の頭部１６ａが配置された状態で、マウント金具３０の上面から突出したボルト１６の軸部１６ｂは、固定金具５０に形成された貫通孔５３ａ（図３Ｂ）を下側から貫通する。そして、貫通孔５３ａから上方に突出したボルト１６の軸部１６ｂに長ナット７０が螺合されることにより、マウント金具３０に固定金具５０が固定されている。固定金具５０については後で詳しく説明する。
【００３０】
基部３１は、断面が長方形で略同じ形状の２つの筒部３１ａが下端部で連結部３６によって連結されている。具体的には、筒部３１ａは、フレーム１３Ａが載せられる天板部３１ｂと、天板部３１ｂの横方向両端部から下方に延び、天板部３１ｂと底板部３１ｃとをつなぐ２つの側壁部３１ｄとを有する。２つの筒部３１ａの外側面の下端部には、フランジ部３２が連結される。２つの筒部３１ａで天板部３１ｂの上面は、平面上に位置する。側壁部３１ｄは、例えば天板部３１ｂ、底板部３１ｃ、及びフランジ部３２に対して略垂直に形成されている。基部３１は、軽量化、材料コスト削減等の観点から中空構造を有することが好ましく、ボルトガイドレール部３４で分離された２つの中空部３７を有する。
【００３１】
ボルトガイドレール部３４は、基部３１の横方向中央部において基部３１の縦方向全長にわたって設けられている。ボルトガイドレール部３４は、基部３１内に形成されて上方に向かって開口する溝であって、天板部３１ｂの一部が左右から溝上に張り出して開口の一部を塞いで形成されている。ボルトガイドレール部３４には、ボルト１６の軸部１６ｂを当該開口から突出させた状態でボルト１６の頭部１６ａを挿入できる。ボルト１６の頭部１６ａは左右から張り出した天板部３１ｂに引っ掛かるため、ボルト１６が上方に抜けない状態で軒棟方向に沿ってスライド可能にボルトガイドレール部３４に保持される。
【００３２】
フランジ部３２は、基部３１の下部から外側に張り出し、マウント金具３０の縦方向全長にわたって形成されている。各フランジ部３２には、ネジ（図示せず）を通す貫通孔３５が軒棟方向に並んで複数形成されている。貫通孔３５は、上述のように、フランジ部３２の端から１０ｍｍ以上離れた位置に形成されることが好ましい。貫通孔３５をフランジ部３２の端から離して形成することにより、ネジが取り付けられる部分に雨水等が浸入し難くなる。貫通孔３５は、例えば、フランジ部３２の横方向に沿った外側の端である外端３２ａ、及びフランジ部３２の縦方向両端（軒側縁部３０ａ及び棟側縁部３０ｂ）から１０ｍｍ以上離れた位置に形成される。
【００３３】
マウント金具３０は、フランジ部３２に取り付けられたネジによって屋根１００の野地板１０２に固定される。図４に示す例では、フランジ部３２の上面の軒棟方向中央付近に位置合わせマーク３８が形成される。屋根材１０１の軒側には、平板状のスペーサを隣接して配置し、その屋根材とスペーサとの上側にマウント金具が固定されてもよい。この場合には、スペーサは、屋根材１０１間に形成された段差部分に設けられ、当該段差を埋めてマウント金具３０の安定した取り付けを可能とする。また、このとき、屋根材１０１の軒側端と位置合わせマーク３８とが一致するようにマウント金具３０が配置され、マウント金具３０の棟側部分が屋根材１０１上に、軒側部分がスペーサ上に固定されてもよい。一部のネジは、フランジ部３２の貫通孔３５とスペーサの貫通孔とに通され、屋根材１０１を貫通して野地板１０２に固定される。マウント金具３０に貫通させるネジには、例えばパッキン付きの木ネジが使用される。マウント金具３０と屋根材１０１との間には、図示しないゴム製シート（例えば、ブチルゴムシート）が設けられている。
【００３４】
マウント金具３０の基部３１に立設したボルト１６は、頭部１６ａがボルトガイドレール部３４に挿入され、軸部１６ｂを上にした状態で基部３１の天板部３１ｂに対して略垂直に延びている。ボルト１６は、ボルトガイドレール部３４から抜け落ちない範囲で軒棟方向にスライド可能であるため、フレーム１３Ａ，１３Ｂの配置の自由度が高く施工性に優れる。ボルト１６は、例えば軸部１６ｂにナット７１を取り付け、そのナット７１を天板部３１ｂに押し付けることで、スライドしないように固定することができる。
【００３５】
固定金具５０は、金具本体５１と、押え金具５７とが固定されることにより形成される。図６は、図３Ａに示す金具本体５１の斜視図である。金具本体５１は、マウント金具３０の天板部３１ｂ上に、金属板４０及びアース金具１５を介して略垂直に立設するように配置される長方形状の壁部５２と、壁部５２の下部で棟側に連結された足部５３とを含む。壁部５２は、厚み方向両側面が軒棟方向に向いて配置される。足部５３は、壁部５２の棟側面の下部において、桁方向の全長にわたる部分から棟側に突出し棟側端部で下方に折れ曲がった断面略Ｌ字形である。足部５３の下端と壁部５２の下端とがアース金具１５及び金属板４０を介してマウント金具３０に押し付けられる。また、足部５３のうち、棟側に突出する部分の桁方向中央位置にはボルト１６の軸部１６ｂを貫通させるための貫通孔５３ａが形成される。
【００３６】
壁部５２の軒側面の下部には、軒側に突出する平板状の軒側突出部５４が形成される。軒側突出部５４の先端部には爪部５４ａが下側に突出する。軒側突出部５４は、軒側の太陽電池モジュール１１Ａのフレーム１３Ａの棟側開口である溝部２４Ａ内に挿入される。軒側突出部５４の爪部５４ａは、この溝部２４Ａの下面に接触して表面の塗膜を破ってフレーム１３Ａと電気接触させる。これにより、固定金具５０及びアース金具１５を通じてフレーム１３Ａのアースをとることができる。
【００３７】
壁部５２の上端部には、壁部５２の棟軒方向両側面に対し軒側面が傾斜するように受け部５５が連結される。また、受け部５５の上端部において桁方向に離れた位置には、棟側に突出する２つの平板状の第１棟側突出部５６が形成される。各第１棟側突出部５６は、受け部５５の上端より少し下がった位置から形成される。これにより受け部５５には、第１棟側突出部５６より上方に突出する係止突部５５ａが形成される。２つの第１棟側突出部５６の上面は平面上に位置する。各第１棟側突出部５６の上面には棟側の太陽電池モジュール１１Ｂのフレーム１３Ｂにおける軒側端部が載せられる。このとき、フレーム１３Ｂの軒側端部は受け部５５の係止突部５５ａに突き当てられて位置決めされる。
【００３８】
図７は、図３Ａに示す押え金具５７の斜視図である。押え金具５７は、金具本体５１の受け部５５の傾斜した軒側面に面接触して押し付けられた状態で固定される突き当て板部５８と、突き当て板部５８の上端から棟側に突出するように連結された平板状の第２棟側突出部５９とを含む。突き当て板部５８の桁方向中央部には円錐面状の貫通孔５８ａが形成される。貫通孔５８ａには押え金具５７を金具本体５１に結合するためのドリルネジ７２（図３Ｂ）が貫通される。図７に示す例では、貫通孔５８ａを桁方向に横切るように位置合わせマーク５８ｂが形成される。位置合わせマーク５８ｂは、金具本体５１の受け部５５の軒側面に形成された位置合わせマーク５５ｂと一致させ、この状態で貫通孔５８ａにドリルネジ７２を貫通させる。このとき、工具を用いてドリルネジ７２の先端側部分を受け部５５にネジ結合させる。これにより、金具本体５１の上部に押え金具５７がネジ止めされて固定されることにより固定金具５０が形成される。
【００３９】
なお、フレーム１３Ａ，１３Ｂは、中空の略角柱形状を有する本体部２０Ａ，２０Ｂと、本体部２０Ａ，２０Ｂ上に立設した断面略Ｌ字形状の鉤部２１Ａ，２１Ｂとをそれぞれ有する。太陽電池パネル１２Ａ，１２Ｂの各端部は、鉤部２１Ａ，２１Ｂと本体部２０Ａ，２０Ｂの上面との間に形成された内溝にそれぞれ挿入されている。フレーム１３Ａ，１３Ｂの下部の外周側には溝部２４Ａ，２４Ｂが形成される。フレーム１３Ａ，１３Ｂの下端部には、内側に突出する内鍔部２５Ａ、２５Ｂと、外側に突出する外鍔部２６Ａ，２６Ｂとが形成される。外鍔部２６Ａ，２６Ｂは、溝部２４Ａ，２４Ｂの底部を形成する。
【００４０】
太陽電池モジュール１１Ａ，１１Ｂは、太陽電池パネル１２Ａ，１２Ｂが野地板１０２と略平行、または野地板１０２との間隔が軒側に向かって広がるように傾斜した状態でマウント金具３０上に固定される。
【００４１】
フレーム１３Ａは、アース金具１５及び金属板を介してマウント金具３０の天板部上に載せられる。図８は、図３Ａに示すアース金具１５の平面図である。図９は、アース金具１５の突起１５ａ周辺部を図８の矢印Ｄ方向に見た拡大図である。
【００４２】
アース金具１５は、複数位置に形成され上方に突出した突起１５ａと、ボルト１６を通す貫通孔１５ｂとを有する。アース金具１５の突起１５ａが、フレーム１３Ａまたは固定金具５０の下端面の表面に形成された塗膜を突き破ってフレーム１３Ａまたは固定金具５０に食い込むことでアースをとることができる。
【００４３】
フレーム１３Ｂの軒側端部は、固定金具５０の第１棟側突出部５６に載せられる。フレーム１３Ｂの棟側には、固定金具５０の係止突部５５ａがフレーム１３Ｂの外鍔部２６Ｂの先端と対面する位置に設けられているため、太陽電池モジュール１１Ｂの軒側への移動が阻止される。
【００４４】
固定金具５０は、ボルト１６を用いてマウント金具３０に固定される。固定金具５０の壁部５２がフレーム１３Ａの棟側面を棟側から押え付ける。この状態で、固定金具５０の足部５３に形成された貫通孔５３ａにボルト１６の軸部１６ｂが通されている。そして、ボルト１６の軸部１６ｂにおいて足部５３より上方に突出した部分には、長ナット７０が螺合されている。長ナット７０は、足部５３を上から押さえ付け、固定金具５０をマウント金具３０に固定する。長ナット７０の代わりに、一般的に多く用いられる短いナットが用いられてもよい。
【００４５】
この状態で、固定金具５０の軒側突出部５４は、太陽電池モジュール１１Ａのフレーム１３Ａの棟側端部の棟側開口である溝部２４Ａに挿入される。これによって、フレーム１３Ａの上側への浮き上がりが防止される。また、第２棟側突出部５９は、太陽電池モジュール１１Ｂのフレーム１３Ｂの軒側端部の軒側開口である溝部２４Ｂに挿入される。これによって、フレーム１３Ｂの浮き上がりが防止される。なお、第２棟側突出部５９の先端にも、軒側突出部５４と同様に、下側に突出する爪部５９ａが形成される。爪部５９ａは、フレーム１３Ｂの溝部２４Ｂの下面に接触して表面の塗膜を破ってフレーム１３Ｂと電気接触させる。これにより、固定金具５０及びアース金具１５を通じてフレーム１３Ｂのアースをとることができる。
【００４６】
この状態で、軒側の太陽電池モジュール１１Ａのフレーム１３Ａの軒側端部における上端より、棟側の太陽電池モジュール１１Ｂのフレーム１３Ｂの棟側端部における下端が上側に位置する。これにより、段葺き構造の段差を大きくできる。
【００４７】
上記の太陽光発電装置１０によれば、複数の太陽電池モジュール１１が段葺き構造で設置される構成において、設置作業及び修理交換作業の手間を軽減できる。また、屋根上に軒棟方向に長いガイド部を有する架台フレームを用いて、固定金具を架台フレームに沿ってスライドさせる構成を採用する場合と異なり、架台の重量を軽減できる。しかも、設置作業の手間をより軽減できる。また、上記のように段葺き構造の段差を大きくした場合でも、固定金具５０を小型でかつ軽量にできるので、設置作業及び修理交換作業の手間が大きくならない。さらに、固定金具５０を用いることで、軒棟方向に隣り合う太陽電池モジュール１１の軒棟方向のピッチを狭くすることができるので、太陽電池パネルの搭載量の増加に貢献できる。
【００４８】
また、固定金具５０が金具本体５１と押え金具５７とが固定されることにより形成されるので、棟側の太陽電池モジュール１１Ｂを取り外す作業の作業性が向上する。具体的には、この作業を行う際に、押え金具５７に結合したドリルネジ７２を取り外し、金具本体５１から押え金具５７を取り外すことができる。この状態で、太陽電池モジュール１１Ｂのフレーム１３Ｂの軒側端部を上側に容易に取り外すことができ、作業性が向上する。なお、２つの太陽電池モジュール１１を屋根１００に固定する場合に、固定金具５０は、金具本体５１と押え金具５７とを一体に結合した状態で取り扱ってもよい。一方、金具本体５１から押え金具５７を分離した状態で、第１棟側突出部５６にフレーム１３Ｂを載せた後に、フレーム１３Ｂの溝部２４Ｂに第２棟側突出部５９を挿入しながら、金具本体５１に押え金具５７を結合してもよい。また、固定金具として、金具本体と押え金具とに相当する部分が一体形成されたものが用いられてもよい。
【符号の説明】
【００４９】
１０  太陽光発電装置、１１，１１Ａ，１１Ｂ  太陽電池モジュール、１２，１２Ａ，１２Ｂ  太陽電池パネル、１３，１３Ａ，１３Ｂ  フレーム、１５  アース金具、１５ａ  突起、１５ｂ  貫通孔、１６  ボルト、１６ａ  頭部、１６ｂ  軸部、２０Ａ，２０Ｂ  本体部、２１Ａ，２１Ｂ  鉤部、２４Ａ，２４Ｂ  溝部、２５Ａ，２５Ｂ  内鍔部、２６Ａ，２６Ｂ  外鍔部、３０  マウント金具、３０ａ  軒側縁部、３０ｂ  棟側縁部、３１  基部、３１ａ  筒部、３１ｂ  天板部、３１ｃ  底板部、３１ｄ  側壁部、３２  フランジ部、３２ａ  外端、３２ｂ  内端、３４  ボルトガイドレール部、３５  貫通孔、３６  連結部、３７  中空部、３８  位置合わせマーク、５０  固定金具、５１  金具本体、５２  壁部、５３  足部、５３ａ  貫通孔、５４  軒側突出部、５４ａ  爪部、５５  受け部、５５ａ  係止突部、５５ｂ  位置合わせマーク、５６  第１棟側突出部、５７  押え金具、５８  突き当て板部、５８ａ  貫通孔、５８ｂ  位置合わせマーク、５９  第２棟側突出部、５９ａ  爪部、７０  長ナット、７１  ナット、７２  ドリルネジ、１００  屋根、１０１  屋根材、１０２  野地板。
【図１】
2018053631.tif 000003
【図２】
2018053631.tif 000004
【図３Ａ】
2018053631.tif 000005
【図３Ｂ】
2018053631.tif 000006
【図４】
2018053631.tif 000007
【図５】
2018053631.tif 000008
【図６】
2018053631.tif 000009
【図７】
2018053631.tif 000010
【図８】
2018053631.tif 000011
【図９】
2018053631.tif 000012